【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
人物を認識する人物認識装置であって、
少なくとも１つの登録者の生体情報と各登録者のグループを示すグループ情報とが対応づけて記憶されている記憶手段と、
人物の生体情報を含む情報を取得する情報取得手段と、
前記情報取得手段により取得された情報から少なくとも１人分の生体情報を検出する検出手段と、
前記検出手段により検出された各生体情報と前記記憶手段に記憶されている各生体情報とを照合することにより前記検出手段により検出された生体情報の人物を認識する認識手段と、
前記認識手段により順次認識された複数の人物を所定の条件に基づいてグループ候補に分類し、そのグループ候補の各人物を前記記憶手段に記憶されている各人物のグループ情報に基づいてグループ分けするグループ判定手段と、
このグループ判定手段によるグループ分けの結果を外部機器へ出力する出力手段と、
を有することを特徴とする人物認識装置。
【請求項２】
人物を認識する人物認識装置であって、
少なくとも１つの登録者の生体情報と各登録者のグループを示すグループ情報とが対応づけて記憶されている記憶手段と、
１つのエリア内における複数の監視エリアごとに、各監視エリアに存在している人物の生体情報を含む情報を順次取得する情報取得手段と、
前記情報取得手段により取得された各情報から少なくとも１人分の生体情報を検出する検出手段と、
前記検出手段により検出された各生体情報と前記記憶手段に記憶されている各生体情報とを照合することにより前記検出手段により検出された生体情報の人物を認識する認識手段と、
前記情報取得手段が取得した各監視エリアの情報と、その情報から前記検出手段が検出した生体情報に対する前記認識手段による認識結果とに基づいて、前記エリア内における複数の人物での集団行動を判定するグループ判定手段と、
このグループ判定手段による判定結果を外部機器へ出力する出力手段と、
を有することを特徴とする人物認識装置。
【請求項３】
前記グループ判定手段は、前記情報取得手段により順次取得する各情報から同一グループに属する複数の人物の生体情報が所定期間以上継続的に検出された場合、それらの人物が接近した状態で行動していることを判定し、
前記出力手段は、前記グループ判定手段により接近した状態で行動していると判定された複数の人物が検出された監視エリアに対応づけられているレベルの警報を外部機器へ通知する、
ことを特徴とする前記請求項２に記載の人物認識装置。
【請求項４】
前記グループ判定手段は、前記情報取得手段により順次取得する各情報から特定のグループに属する人物を含む複数の人物の生体情報が所定期間以上継続的に検出された場合、それらの人物が接近した状態で行動していることを判定し、
前記出力手段は、前記グループ判定手段により特定のグループに属する人物を含む複数の人物が接近した状態で行動していると判定した場合、当該特定のグループに対応づけられているレベルの警報を外部機器へ通知する、
ことを特徴とする前記請求項２に記載の人物認識装置。
【請求項５】
前記グループ判定手段は、前記情報取得手段により順次取得する各監視エリアの情報から同時間帯に同一グループに属する複数の人物の生体情報が検出された場合、それらの人物が当該エリア内に同じ時間帯に存在していたことを判定する、
ことを特徴とする前記請求項２に記載の人物認識装置。
【請求項６】
前記グループ判定手段は、前記情報取得手段により順次取得する各監視エリアの情報のうち前記エリアの出入口に相当する複数の監視エリアの情報から同時間帯に同一グループに属する複数の人物の生体情報が検出された場合、それらの人物が当該エリア内に同じ時間帯に出入していたことを判定する、
ことを特徴とする前記請求項２に記載の人物認識装置。
【請求項７】
さらに、前記グループ判定手段による判定結果に基づいて複数の人物間の関連性の評価し、各人物間の評価に基づいて同一グループらしい複数の人物を判定し、同一グループらしいと判定した複数の人物のうち何れかの人物のグループ情報に基づいて他の人物のグループ情報を更新する関連性判定手段を有する、
ことを特徴とする前記請求項２に記載の人物認識装置。
【請求項８】
前記関連性判定手段は、前記グループ判定手段により特別なグループに属する人物と集団行動していると判定された人物については、他の人物との関連性の評価をリセットする、
ことを特徴とする前記請求項７に記載の人物認識装置。
【請求項９】
前記関連性判定手段は、前記情報取得手段により順次取得する各監視エリアの情報のうち前記エリアの出入口に相当する複数の監視エリアの情報から同時間帯に検出された複数の人物間の関連性を高く評価する、
ことを特徴とする前記請求項２に記載の人物認識装置。
【請求項１０】
人物を認識する人物認識装置に用いられる人物認識方法であって、
人物の生体情報を含む情報を取得し、
取得した情報から少なくとも１人分の生体情報を検出し、
検出した各生体情報と、グループ情報を対応づけて記憶手段に記憶されている少なくとも１人の登録者の生体情報とを照合することにより、前記取得した情報から検出した生体情報の人物を認識し、
順次認識された複数の人物を所定の条件に基づいてグループ候補に分類し、
前記グループ候補の各人物を前記記憶手段に記憶されている各人物のグループ情報に基づいてグループ分けし、
このグループ分けの結果を外部機器へ出力する、
ことを特徴とする人物認識方法。
【請求項１１】
人物を認識する人物認識装置に用いられる人物認識方法であって、
１つのエリア内における複数の監視エリアごとに、各監視エリアに存在している人物の生体情報を含む情報を順次取得し、
前記取得した各情報から少なくとも１人分の生体情報を検出し、
前記検出した各生体情報と、グループ情報を対応づけて記憶手段に記憶されている少なくとも１人の登録者の生体情報とを照合することにより、前記取得した情報から検出した各生体情報の人物を認識し、
前記取得した各監視エリアの情報と、その情報から検出された生体情報に対する認識結果とに基づいて、前記エリア内における複数の人物での集団行動を判定し、
前記集団行動の判定結果を外部機器へ出力する、
ことを特徴とする人物認識方法。
【請求項１２】
前記集団行動の判定は、順次取得した各情報から同一グループに属する複数の人物の生体情報が所定期間以上継続的に検出された場合、それらの人物が接近した状態で行動していることを判定し、
前記出力は、接近した状態で行動していると判定された複数の人物が検出された監視エリアに対応づけられているレベルの警報を外部機器へ通知する、
ことを特徴とする前記請求項１１に記載の人物認識方法。
【請求項１３】
前記集団行動の判定は、順次取得した各情報から特定のグループに属する人物を含む複数の人物の生体情報が所定期間以上継続的に検出された場合、それらの人物が接近した状態で行動していることを判定し、
前記出力は、特定のグループに属する人物を含む複数の人物が接近した状態で行動していると判定した場合、当該特定のグループに対応づけられているレベルの警報を外部機器へ通知する、
ことを特徴とする前記請求項１１に記載の人物認識方法。
【請求項１４】
前記集団行動の判定は、順次取得した各監視エリアの情報から同時間帯に同一グループに属する複数の人物の生体情報が検出された場合、それらの人物が当該エリア内に同じ時間帯に存在していたことを判定する、
ことを特徴とする前記請求項１１に記載の人物認識方法。
【請求項１５】
前記集団行動の判定は、順次取得した各監視エリアの情報のうち前記エリアの出入口に相当する複数の監視エリアの情報から同時間帯に同一グループに属する複数の人物の生体情報が検出された場合、それらの人物が当該エリア内に同じ時間帯に出入していたことを判定する、
ことを特徴とする前記請求項１１に記載の人物認識方法。
【請求項１６】
さらに、前記集団行動の判定結果に基づいて複数の人物間の関連性の評価し、各人物間の評価に基づいて同一グループらしい複数の人物を判定し、同一グループらしいと判定した複数の人物のうち何れかの人物のグループ情報に基づいて他の人物のグループ情報を更新する、
ことを特徴とする前記請求項１１に記載の人物認識方法。